【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
複数の抵抗を有し、該複数の抵抗を直列又は並列に接続して構成された抵抗回路と、
前記抵抗回路に並列に接続され、電位状態をハイ状態、ロー状態及び開放状態のいずれかに制御する制御信号がそれぞれ入力される複数の入力ポートと、
前記抵抗回路に接続され、複数の前記入力ポートのそれぞれの前記電位状態の組み合わせに対応した電圧値の電圧信号を出力する出力ポートと
を備える電圧発生回路。
【請求項２】
前記抵抗回路が、前記複数の抵抗の直列回路で構成され、
前記直列回路の両端、及び、前記直列回路内の抵抗間の接続点のそれぞれが、対応する前記入力ポートに接続されており、
前記直列回路内の所定の抵抗間の接続点に前記出力ポートが接続されている
請求項１に記載の電圧発生回路。
【請求項３】
前記抵抗回路が、前記複数の抵抗の並列回路で構成され、
前記複数の抵抗のそれぞれの一方の端子が対応する前記入力ポートに接続され、
前記複数の抵抗のそれぞれの他方の端子が前記出力ポートに接続されている
請求項１に記載の電圧発生回路。
【請求項４】
前記出力ポートから出力可能な前記電圧値の状態数が、前記入力ポートの数より多い
請求項２に記載の電圧発生回路。
【請求項５】
前記入力ポートの前記電位状態がハイ状態となるときの前記入力ポートの電圧値が、前記出力ポートから出力すべき前記電圧信号の最大電圧値より大きい
請求項２又は４に記載の電圧発生回路。
【請求項６】
さらに、前記直列回路内の互いに異なる複数の抵抗間の接続点にそれぞれ接続された複数の出力ポートと、
前記複数の出力ポートから所定の出力ポートを選択するスイッチとを備える
請求項２、４及び５のいずれか一項に記載の電圧発生回路。
【請求項７】
前記入力ポートの前記電位状態がハイ状態となるときの前記入力ポートの電圧値が、前記出力ポートから出力すべき前記電圧信号の最大電圧値より大きい
請求項３又は４に記載の電圧発生回路。
【請求項８】
複数の抵抗を有し、該複数の抵抗を直列又は並列に接続して構成された抵抗回路と、前記抵抗回路に並列に接続され、電位状態をハイ状態、ロー状態及び開放状態のいずれかに制御する制御信号がそれぞれ入力される複数の入力ポートと、前記抵抗回路に接続され、複数の前記入力ポートのそれぞれの前記電位状態の組み合わせに対応した電圧値の電圧信号を出力する出力ポートとを含む電圧発生回路と、
前記電圧発生回路に接続され、前記出力ポートから出力される前記電圧信号により、容量が変化する可変容量素子と
を備える共振回路。
【請求項９】
複数の抵抗を有し、該複数の抵抗を直列又は並列に接続して構成された抵抗回路と、前記抵抗回路に並列に接続され、電位状態をハイ状態、ロー状態及び開放状態のいずれかに制御する制御信号がそれぞれ入力される複数の入力ポートと、前記抵抗回路に接続され、複数の前記入力ポートのそれぞれの前記電位状態の組み合わせに対応した電圧値の電圧信号を出力する出力ポートとを含む電圧発生回路と、
前記電圧発生回路に接続され、前記出力ポートから出力される前記電圧信号により、容量が変化する可変容量素子を含む共振コンデンサと、共振コイルとにより構成され、外部と非接触通信を行う受信アンテナ部と、
前記複数の入力ポートのそれぞれに制御信号を出力する制御部と
を備える通信装置。
【請求項１０】
複数の抵抗を有し、該複数の抵抗を直列又は並列に接続して構成された抵抗回路と、前記抵抗回路に並列に接続され、電位状態をハイ状態、ロー状態及び開放状態のいずれかに制御する制御信号がそれぞれ入力される複数の入力ポートと、前記抵抗回路に接続され、複数の前記入力ポートのそれぞれの前記電位状態の組み合わせに対応した電圧値の電圧信号を出力する出力ポートとを含む電圧発生回路と、前記電圧発生回路に接続され、前記出力ポートから出力される前記電圧信号により、容量が変化する可変容量素子を含む共振コンデンサと、共振コイルとにより構成される送信アンテナ部と、前記複数の入力ポートのそれぞれに制御信号を出力する制御部とを有する送信装置と、
前記送信装置と非接触通信を行う受信装置と
を備える通信システム。
【請求項１１】
複数の第１抵抗を有し、該複数の第１抵抗を直列又は並列に接続して構成された第１抵抗回路と、前記第１抵抗回路に並列に接続され、電位状態をハイ状態、ロー状態及び開放状態のいずれかに制御する制御信号がそれぞれ入力される複数の第１入力ポートと、前記第１抵抗回路に接続され、複数の前記第１入力ポートのそれぞれの前記電位状態の組み合わせに対応した電圧値の電圧信号を出力する第１出力ポートとを含む第１電圧発生回路と、前記第１電圧発生回路に接続され、前記第１出力ポートから出力される前記電圧信号により、容量が変化する第１可変容量素子を含む第１共振コンデンサと、第１共振コイルとにより構成される給電アンテナ部と、前記複数の第１入力ポートのそれぞれに制御信号を出力する第１制御部とを有する給電装置と、
複数の第２抵抗を有し、該複数の第２抵抗を直列又は並列に接続して構成された第２抵抗回路と、前記第２抵抗回路に並列に接続され、電位状態をハイ状態、ロー状態及び開放状態のいずれかに制御する制御信号がそれぞれ入力される複数の第２入力ポートと、前記第２抵抗回路に接続され、複数の前記第２入力ポートのそれぞれの前記電位状態の組み合わせに対応した電圧値の電圧信号を出力する第２出力ポートとを含む第２電圧発生回路と、前記第２電圧発生回路に接続され、前記第２出力ポートから出力される前記電圧信号により、容量が変化する第２可変容量素子を含む第２共振コンデンサと、第２共振コイルとにより構成され、前記給電アンテナ部と非接触通信を行う受電アンテナ部と、前記複数の第２入力ポートのそれぞれに制御信号を出力する第２制御部とを有する受電装置と
を備えるワイヤレス充電システム。
【請求項１２】
電源供給部と、
前記電源供給部から供給された交流電力を直流電力に変換する整流回路部と、
複数の抵抗を有し、該複数の抵抗を直列又は並列に接続して構成された抵抗回路と、前記抵抗回路に並列に接続され、電位状態をハイ状態、ロー状態及び開放状態のいずれかに制御する制御信号がそれぞれ入力される複数の入力ポートと、前記抵抗回路に接続され、複数の前記入力ポートのそれぞれの前記電位状態の組み合わせに対応した電圧値の電圧信号を出力する出力ポートとを含む電圧発生回路と、前記電圧発生回路に接続され、前記出力ポートから出力される前記電圧信号により、容量が変化する可変容量素子とを有し、前記電源供給部と前記整流回路部との間に設けられた可変インピーダンス部と、
前記複数の入力ポートのそれぞれに制御信号を出力する制御部と
を備える電源装置。
【請求項１３】
複数の抵抗を有し、該複数の抵抗を直列又は並列に接続して構成された抵抗回路と、前記抵抗回路に並列に接続され、電位状態をハイ状態、ロー状態及び開放状態のいずれかに制御する制御信号がそれぞれ入力される複数の入力ポートと、前記抵抗回路に接続され、複数の前記入力ポートのそれぞれの前記電位状態の組み合わせに対応した電圧値の電圧信号を出力する出力ポートとを含む電圧発生回路と、
前記電圧発生回路に接続され、前記出力ポートから出力される前記電圧信号により、容量が変化する可変容量素子を含む共振コンデンサと、共振コイルとにより構成され、外部と非接触通信を行う通信部と、
前記複数の入力ポートのそれぞれに制御信号を出力する制御部と
を備える電子機器。
【請求項１４】
複数の第１抵抗を有し、該複数の第１抵抗を直列又は並列に接続して構成された第１抵抗回路と、前記第１抵抗回路に並列に接続され、電位状態をハイ状態、ロー状態及び開放状態のいずれかに制御する制御信号がそれぞれ入力される複数の第１入力ポートと、前記第１抵抗回路に接続され、複数の前記第１入力ポートのそれぞれの前記電位状態の組み合わせに対応した電圧値の電圧信号を出力する第１出力ポートとを含む第１電圧発生回路と、前記第１電圧発生回路に接続され、前記第１出力ポートから出力される前記電圧信号により、容量が変化する第１可変容量素子を含む第１共振コンデンサと、第１共振コイルとにより構成される給電アンテナ部と、前記複数の第１入力ポートのそれぞれに制御信号を出力する第１制御部とを有する給電装置部と、
複数の第２抵抗を有し、該複数の第２抵抗を直列又は並列に接続して構成された第２抵抗回路と、前記第２抵抗回路に並列に接続され、電位状態をハイ状態、ロー状態及び開放状態のいずれかに制御する制御信号がそれぞれ入力される複数の第２入力ポートと、前記第２抵抗回路に接続され、複数の前記第２入力ポートのそれぞれの前記電位状態の組み合わせに対応した電圧値の電圧信号を出力する第２出力ポートとを含む第２電圧発生回路と、前記第２電圧発生回路に接続され、前記第２出力ポートから出力される前記電圧信号により、容量が変化する第２可変容量素子を含む第２共振コンデンサと、第２共振コイルとにより構成され、前記給電アンテナ部と非接触通信を行う受電アンテナ部と、前記複数の第２入力ポートのそれぞれに制御信号を出力する第２制御部とを有する受電装置部と
を備える電子機器。
【請求項１５】
電源供給部と、
前記電源供給部から供給された交流電力を直流電力に変換する整流回路部と、
複数の抵抗を有し、該複数の抵抗を直列又は並列に接続して構成された抵抗回路と、前記抵抗回路に並列に接続され、電位状態をハイ状態、ロー状態及び開放状態のいずれかに制御する制御信号がそれぞれ入力される複数の入力ポートと、前記抵抗回路に接続され、複数の前記入力ポートのそれぞれの前記電位状態の組み合わせに対応した電圧値の電圧信号を出力する出力ポートとを含む電圧発生回路と、前記電圧発生回路に接続され、前記出力ポートから出力される前記電圧信号により、容量が変化する可変容量素子とを有し、前記電源供給部と前記整流回路部との間に設けられた可変インピーダンス部と、
前記複数の入力ポートのそれぞれに制御信号を出力する制御部と
を備える電子機器。
【請求項１６】
複数の第１抵抗を有し、該複数の第１抵抗を直列又は並列に接続して構成された第１抵抗回路と、前記第１抵抗回路に並列に接続され、電位状態をハイ状態、ロー状態及び開放状態のいずれかに制御する制御信号がそれぞれ入力される複数の第１入力ポートと、前記第１抵抗回路に接続され、複数の前記第１入力ポートのそれぞれの前記電位状態の組み合わせに対応した電圧値の電圧信号を出力する第１出力ポートとを含む第１電圧発生回路と、前記第１電圧発生回路に接続され、前記第１出力ポートから出力される前記電圧信号により、容量が変化する第１可変容量素子を含む第１共振コンデンサと、第１共振コイルとにより構成される共振アンテナ部と、前記複数の第１入力ポートのそれぞれに制御信号を出力する第１制御部とを有する通信装置部と、
複数の第２抵抗を有し、該複数の第２抵抗を直列又は並列に接続して構成された第２抵抗回路と、前記第２抵抗回路に並列に接続され、電位状態をハイ状態、ロー状態及び開放状態のいずれかに制御する制御信号がそれぞれ入力される複数の第２入力ポートと、前記第２抵抗回路に接続され、複数の前記第２入力ポートのそれぞれの前記電位状態の組み合わせに対応した電圧値の電圧信号を出力する第２出力ポートとを含む第２電圧発生回路と、前記第２電圧発生回路に接続され、前記第２出力ポートから出力される前記電圧信号により、容量が変化する第２可変容量素子を含む第２共振コンデンサと、第２共振コイルとにより構成される給電アンテナ部と、前記複数の第２入力ポートのそれぞれに制御信号を出力する第２制御部とを有する給電装置部と、
複数の第３抵抗を有し、該複数の第３抵抗を直列又は並列に接続して構成された第３抵抗回路と、前記第３抵抗回路に並列に接続され、電位状態をハイ状態、ロー状態及び開放状態のいずれかに制御する制御信号がそれぞれ入力される複数の第３入力ポートと、前記第３抵抗回路に接続され、複数の前記第３入力ポートのそれぞれの前記電位状態の組み合わせに対応した電圧値の電圧信号を出力する第３出力ポートとを含む第３電圧発生回路と、前記第３電圧発生回路に接続され、前記第３出力ポートから出力される前記電圧信号により、容量が変化する第３可変容量素子を含む第３共振コンデンサと、第３共振コイルとにより構成され、前記給電アンテナ部と非接触通信を行う受電アンテナ部と、前記複数の第３入力ポートのそれぞれに制御信号を出力する第３制御部とを有する受電装置部と
を備える電子機器。
【請求項１７】
複数の第１抵抗を有し、該複数の第１抵抗を直列又は並列に接続して構成された第１抵抗回路と、前記第１抵抗回路に並列に接続され、電位状態をハイ状態、ロー状態及び開放状態のいずれかに制御する制御信号がそれぞれ入力される複数の第１入力ポートと、前記第１抵抗回路に接続され、複数の前記第１入力ポートのそれぞれの前記電位状態の組み合わせに対応した電圧値の電圧信号を出力する第１出力ポートとを含む第１電圧発生回路と、前記第１電圧発生回路に接続され、前記第１出力ポートから出力される前記電圧信号により、容量が変化する第１可変容量素子を含む第１共振コンデンサと、第１共振コイルとにより構成される共振アンテナ部と、前記複数の第１入力ポートのそれぞれに制御信号を出力する第１制御部とを有する通信装置部と、
電源供給部と、前記電源供給部から供給された交流電力を直流電力に変換する整流回路部と、複数の第２抵抗を有し、該複数の第２抵抗を直列又は並列に接続して構成された第２抵抗回路と、前記第２抵抗回路に並列に接続され、電位状態をハイ状態、ロー状態及び開放状態のいずれかに制御する制御信号がそれぞれ入力される複数の第２入力ポートと、前記第２抵抗回路に接続され、複数の前記第２入力ポートのそれぞれの前記電位状態の組み合わせに対応した電圧値の電圧信号を出力する第２出力ポートとを含む第２電圧発生回路と、前記第２電圧発生回路に接続され、前記第２出力ポートから出力される前記電圧信号により、容量が変化する第２可変容量素子とを有し、前記電源供給部と前記整流回路部との間に設けられた可変インピーダンス部と、前記複数の第２入力ポートのそれぞれに制御信号を出力する第２制御部とを有する電源装置部と
を備える電子機器。
【請求項１８】
複数の第１抵抗を有し、該複数の第１抵抗を直列又は並列に接続して構成された第１抵抗回路と、前記第１抵抗回路に並列に接続され、電位状態をハイ状態、ロー状態及び開放状態のいずれかに制御する制御信号がそれぞれ入力される複数の第１入力ポートと、前記第１抵抗回路に接続され、複数の前記第１入力ポートのそれぞれの前記電位状態の組み合わせに対応した電圧値の電圧信号を出力する第１出力ポートとを含む第１電圧発生回路と、前記第１電圧発生回路に接続され、前記第１出力ポートから出力される前記電圧信号により、容量が変化する第１可変容量素子を含む第１共振コンデンサと、第１共振コイルとにより構成される給電アンテナ部と、前記複数の第１入力ポートのそれぞれに制御信号を出力する第１制御部とを有する給電装置部と、
複数の第２抵抗を有し、該複数の第２抵抗を直列又は並列に接続して構成された第２抵抗回路と、前記第２抵抗回路に並列に接続され、電位状態をハイ状態、ロー状態及び開放状態のいずれかに制御する制御信号がそれぞれ入力される複数の第２入力ポートと、前記第２抵抗回路に接続され、複数の前記第２入力ポートのそれぞれの前記電位状態の組み合わせに対応した電圧値の電圧信号を出力する第２出力ポートとを含む第２電圧発生回路と、前記第２電圧発生回路に接続され、前記第２出力ポートから出力される前記電圧信号により、容量が変化する第２可変容量素子を含む第２共振コンデンサと、第２共振コイルとにより構成され、前記給電アンテナ部と非接触通信を行う受電アンテナ部と、前記複数の第２入力ポートのそれぞれに制御信号を出力する第２制御部とを有する受電装置部と、
電源供給部と、前記電源供給部から供給された交流電力を直流電力に変換する整流回路部と、複数の第３抵抗を有し、該複数の第３抵抗を直列又は並列に接続して構成された第３抵抗回路と、前記第３抵抗回路に並列に接続され、電位状態をハイ状態、ロー状態及び開放状態のいずれかに制御する制御信号がそれぞれ入力される複数の第３入力ポートと、前記第３抵抗回路に接続され、複数の前記第３入力ポートのそれぞれの前記電位状態の組み合わせに対応した電圧値の電圧信号を出力する第３出力ポートとを含む第３電圧発生回路と、前記第３電圧発生回路に接続され、前記第３出力ポートから出力される前記電圧信号により、容量が変化する第３可変容量素子とを有し、前記電源供給部と前記整流回路部との間に設けられた可変インピーダンス部と、前記複数の第３入力ポートのそれぞれに制御信号を出力する第３制御部とを有する電源装置部と
を備える電子機器。
【請求項１９】
複数の第１抵抗を有し、該複数の第１抵抗を直列又は並列に接続して構成された第１抵抗回路と、前記第１抵抗回路に並列に接続され、電位状態をハイ状態、ロー状態及び開放状態のいずれかに制御する制御信号がそれぞれ入力される複数の第１入力ポートと、前記第１抵抗回路に接続され、複数の前記第１入力ポートのそれぞれの前記電位状態の組み合わせに対応した電圧値の電圧信号を出力する第１出力ポートとを含む第１電圧発生回路と、前記第１電圧発生回路に接続され、前記第１出力ポートから出力される前記電圧信号により、容量が変化する第１可変容量素子を含む第１共振コンデンサと、第１共振コイルとにより構成される共振アンテナ部と、前記複数の第１入力ポートのそれぞれに制御信号を出力する第１制御部とを有する通信装置部と、
複数の第２抵抗を有し、該複数の第２抵抗を直列又は並列に接続して構成された第２抵抗回路と、前記第２抵抗回路に並列に接続され、電位状態をハイ状態、ロー状態及び開放状態のいずれかに制御する制御信号がそれぞれ入力される複数の第２入力ポートと、前記第２抵抗回路に接続され、複数の前記第２入力ポートのそれぞれの前記電位状態の組み合わせに対応した電圧値の電圧信号を出力する第２出力ポートとを含む第２電圧発生回路と、前記第２電圧発生回路に接続され、前記第２出力ポートから出力される前記電圧信号により、容量が変化する第２可変容量素子を含む第２共振コンデンサと、第２共振コイルとにより構成される給電アンテナ部と、前記複数の第２入力ポートのそれぞれに制御信号を出力する第２制御部とを有する給電装置部と、
複数の第３抵抗を有し、該複数の第３抵抗を直列又は並列に接続して構成された第３抵抗回路と、前記第３抵抗回路に並列に接続され、電位状態をハイ状態、ロー状態及び開放状態のいずれかに制御する制御信号がそれぞれ入力される複数の第３入力ポートと、前記第３抵抗回路に接続され、複数の前記第３入力ポートのそれぞれの前記電位状態の組み合わせに対応した電圧値の電圧信号を出力する第３出力ポートとを含む第３電圧発生回路と、前記第３電圧発生回路に接続され、前記第３出力ポートから出力される前記電圧信号により、容量が変化する第３可変容量素子を含む第３共振コンデンサと、第３共振コイルとにより構成され、前記給電アンテナ部と非接触通信を行う受電アンテナ部と、前記複数の第３入力ポートのそれぞれに制御信号を出力する第３制御部とを有する受電装置部と、
電源供給部と、前記電源供給部から供給された交流電力を直流電力に変換する整流回路部と、複数の第４抵抗を有し、該複数の第４抵抗を直列又は並列に接続して構成された第４抵抗回路と、前記第４抵抗回路に並列に接続され、電位状態をハイ状態、ロー状態及び開放状態のいずれかに制御する制御信号がそれぞれ入力される複数の第４入力ポートと、前記第４抵抗回路に接続され、複数の前記第４入力ポートのそれぞれの前記電位状態の組み合わせに対応した電圧値の電圧信号を出力する第４出力ポートとを含む第４電圧発生回路と、前記第４電圧発生回路に接続され、前記第４出力ポートから出力される前記電圧信号により、容量が変化する第４可変容量素子とを有し、前記電源供給部と前記整流回路部との間に設けられた可変インピーダンス部と、前記複数の第４入力ポートのそれぞれに制御信号を出力する第４制御部とを有する電源装置部と
を備える電子機器。
【請求項２０】
複数の抵抗を有し、該複数の抵抗を直列又は並列に接続して構成された抵抗回路と、前記抵抗回路に並列に接続され、電位状態をハイ状態、ロー状態及び開放状態のいずれかに制御する制御信号がそれぞれ入力される複数の入力ポートと、前記抵抗回路に接続され、複数の前記入力ポートのそれぞれの前記電位状態の組み合わせに対応した電圧値の電圧信号を出力する出力ポートとを含む電圧発生回路と、
前記電圧発生回路に接続され、前記出力ポートから出力される前記電圧信号により、容量が変化する可変容量素子と、
前記複数の入力ポートのそれぞれに制御信号を出力する制御部と
を備える電子機器。